(57)【要約】      （修正有） 【課題】数個の嵌合部のみで非対称な立体構成を容易に得ることができる玩具用ブロックを提供する。【解決手段】第１側面に凹状の切欠けである第１凹部２４と第１側面に背向する第２側面に第２凹部２５および第３凹部を有するので、第１主面若しくは第２主面の長手方向を軸として、非対称な立体構成を形成する。さらに、第１凹部は、第１主面と第１側面若しくは第２主面と第１側面とによって形成される辺の中点に第１凹部の切欠け幅の中心が位置するように配置され、第２凹部は、第１端面から第１主面若しくは第２主面の長手方向長の４分の１の距離に第２凹部の切欠け幅の中心が位置するように配置され、第３凹部２６は、第２端面から第１主面若しくは第２主面の長手方向長の４分の１の距離に第３凹部の切欠け幅の中心が位置するように配置されているので、均整のとれた立体構成を得る。【選択図】図５
0003150616.tif 000002
【実用新案登録請求の範囲】
【請求項１】
長方形状の第１主面と、該第１主面に背向し該第１主面と同じ形状の第２主面と、該第１主面若しくは該第２主面の長手方向に位置する長方形状の第１側面と、該第１側面に背向し該第１側面と同じ形状の第２側面と、該第１主面若しくは該第２主面の短手方向に位置する長方形状の第１端面と、該第１端面に背向し該第１端面と同じ形状の第２端面と、を有する直交６面体ブロックであって、
該第１側面には凹状の切欠けである第１凹部が、該第２側面には第２凹部および第３凹部が形成され、
該第１凹部は、該第１主面と該第１側面若しくは該第２主面と該第１側面とによって形成される辺の中点に該第１凹部の切欠け幅の中心が位置するように配置され、
該第２凹部は、該第１端面から該第１主面若しくは該第２主面の長手方向長の４分の１の距離に該第２凹部の切欠け幅の中心が位置するように配置され、
該第３凹部は、該第２端面から該第１主面若しくは該第２主面の長手方向長の４分の１の距離に該第３凹部の切欠け幅の中心が位置するように配置されていることを特徴とする直交６面体ブロック。
【請求項２】
前記第１端面には凹状の切欠けである第４凹部が、前記第２端面には第５凹部が形成され、
前記第４凹部は、前記第１主面と前記第１端面若しくは前記第２主面と前記第１端面とによって形成される辺の中点に前記第４凹部の切欠け幅の中心が位置するように配置され、
前記第５凹部は、前記第１主面と前記第２端面若しくは前記第２主面と前記第２端面とによって形成される辺の中点に前記第５凹部の切欠け幅の中心が位置するように配置されていることを特徴とする請求項１に記載の直交６面体ブロック。
【請求項３】
前記第１凹部ないし前記第５凹部は、略同一の切欠け幅および切欠け深さを有し、
前記第１凹部ないし前記第５凹部の該切欠け深さは、前記第１主面若しくは前記第２主面の短手方向長の２分の１であることを特徴とする請求項２に記載の直交６面体ブロック。
【請求項４】
前記第１凹部ないし前記第５凹部の前記切欠け幅は、前記第１主面と前記第２主面との間隔と略同一であることを特徴とする請求項３に記載の直交６面体ブロック。
【請求項５】
前記第１凹部ないし前記第５凹部の前記切欠け幅は、前記第１主面若しくは前記第２主面の前記短手方向長の３分の１であることを特徴とする請求項３および４に記載の直交６面体ブロック。
【請求項６】
前記直交６面体ブロックは、木材で形成されたことを特徴とする請求項１ないし５のいずれかに記載の直交６面体ブロック。
【考案の詳細な説明】
【技術分野】
【０００１】
本考案は、ブロックを組み合わせて立体構成を可能とした玩具用ブロックに関する。
【背景技術】
【０００２】
玩具用ブロックは、種々の形状のブロックを積み重ねて、任意の形状のものを作り上げる玩具である。一般的な玩具用ブロックは、立方体、直方体、円柱等の形状のものから構成されているが、最近では同一形状の数種類の玩具用ブロックのみを用いて複雑な立体構成を行い、大人も楽しむことができるものがみられる。
【先行技術文献】
【特許文献】
【０００３】
【特許文献１】特開２００２−３３１１７９号公報
【特許文献２】特開２００２−５２２６６号公報
【特許文献３】特開平８−２９９６１０号公報
【考案の概要】
【考案が解決しようとする課題】
【０００４】
しかしながら、従来の玩具用ブロックでは、いずれの方向からみても対称な構造をしており、玩具用ブロックを組み合わせて非対称な立体構成を容易に得ることができなかった。また、いたずらに形状を複雑にした玩具用ブロックも多くみられ、使用していない嵌合部が多く、非効率であり意匠的にも劣るものであった。
【０００５】
そこで、本考案は、数個の嵌合部のみで非対称な立体構成を容易に得ることができる玩具用ブロックを提供することを目的とする。
【課題を解決するための手段】
【０００６】
上記課題を解決すべく本願考案に係る直交６面体ブロックは、長方形状の第１主面と、該第１主面に背向し該第１主面と同じ形状の第２主面と、該第１主面若しくは該第２主面の長手方向に位置する長方形状の第１側面と、該第１側面に背向し該第１側面と同じ形状の第２側面と、該第１主面若しくは該第２主面の短手方向に位置する長方形状の第１端面と、該第１端面に背向し該第１端面と同じ形状の第２端面と、を有する直交６面体ブロックであって、該第１側面には凹状の切欠けである第１凹部が、該第２側面には第２凹部および第３凹部が形成され、該第１凹部は、該第１主面と該第１側面若しくは該第２主面と該第１側面とによって形成される辺の中点に該第１凹部の切欠け幅の中心が位置するように配置され、該第２凹部は、該第１端面から該第１主面若しくは該第２主面の長手方向長の４分の１の距離に該第２凹部の切欠け幅の中心が位置するように配置され、該第３凹部は、該第２端面から該第１主面若しくは該第２主面の長手方向長の４分の１の距離に該第３凹部の切欠け幅の中心が位置するように配置されていることを特徴とする。
【０００７】
本願考案に係る直交６面体ブロックは、前記第１端面には凹状の切欠けである第４凹部が、前記第２端面には第５凹部が形成され、前記第４凹部は、前記第１主面と前記第１端面若しくは前記第２主面と前記第１端面とによって形成される辺の中点に前記第４凹部の切欠け幅の中心が位置するように配置され、前記第５凹部は、前記第１主面と前記第２端面若しくは前記第２主面と前記第２端面とによって形成される辺の中点に前記第５凹部の切欠け幅の中心が位置するように配置されているのが好適である。
【０００８】
本願考案に係る直交６面体ブロックは、前記第１凹部ないし前記第５凹部は、略同一の切欠け幅および切欠け深さを有し、前記第１凹部ないし前記第５凹部の該切欠け深さは、前記第１主面若しくは前記第２主面の短手方向長の２分の１であるのが望ましい。
【０００９】
そして、本願考案に係る直交６面体ブロックは、前記第１凹部ないし前記第５凹部の前記切欠け幅は、前記第１主面と前記第２主面との間隔と略同一であるのが好ましい。
【００１０】
また、本願考案に係る直交６面体ブロックは、前記第１凹部ないし前記第５凹部の前記切欠け幅は、前記第１主面若しくは前記第２主面の前記短手方向長の３分の１であってもよい。
【００１１】
なお、本願考案に係る直交６面体ブロックは、木材で形成されていてもよい。
【考案の効果】
【００１２】
本願考案に係る直交６面体ブロックは、第１側面に凹状の切欠けである第１凹部と第１側面に背向する第２側面に第２凹部および第３凹部を有するので、第１主面若しくは第２主面の長手方向を軸として容易に非対称な立体構成を得ることができる。
【００１３】
さらに、第１凹部は、第１主面と第１側面若しくは第２主面と第１側面とによって形成される辺の中点に第１凹部の切欠け幅の中心が位置するように配置され、第２凹部は、第１端面から第１主面若しくは第２主面の長手方向長の４分の１の距離に第２凹部の切欠け幅の中心が位置するように配置され、第３凹部は、第２端面から第１主面若しくは第２主面の長手方向長の４分の１の距離に第３凹部の切欠け幅の中心が位置するように配置されているので、均整のとれた立体構成を得ることができ、意匠性にも優れる。
【００１４】
また、第１端面および第２端面にも凹状の切欠けである第４凹部および第５凹部を形成することにより、拡張性に優れ、より複雑な立体構成を得ることができる。
【００１５】
さらに、第１凹部ないし第５凹部は、略同一の切欠け幅および切欠け深さを有し、第１凹部ないし第５凹部の切欠け深さは、第１主面若しくは第２主面の短手方向長の２分の１とすることにより、直交６面体ブロックを第１凹部ないし第５凹部で嵌合した場合に、嵌合する直交６面体ブロックの第１側面若しくは第２側面または第１端面若しくは第２端面を揃えることができる。したがって、立体構成の拡張性および意匠性に優れる。
【００１６】
そして、第１凹部ないし第５凹部の切欠け幅は、直交６面体ブロックの板厚である第１主面と第２主面との間隔と略同一とすることにより、第１凹部ないし第５凹部同士でなくても直交６面体ブロックを嵌合させることができる。
【００１７】
また、第１凹部ないし第５凹部の切欠け幅は、第１主面若しくは第２主面の短手方向長の３分の１とすることにより、第４凹部若しくは第５凹部と他の凹部と嵌合させる場合に、第１主面若しくは第２主面の長手方向若しくは短手方向または第１主面若しくは第２主面と直交する方向のいずれの方向であっても直交６面体ブロックを嵌合させることができる。
【００１８】
なお、直交６面体ブロックは、木材で形成することにより、木目が形成する質感や木材の香りを楽しむことができる。
【図面の簡単な説明】
【００１９】
【図１】本考案の第１実施形態を示す直交６面体ブロックの斜視図である。
【図２】本考案の第１実施形態を示す直交６面体ブロックの正面図である。
【図３】本考案の第２実施形態を示す直交６面体ブロックの斜視図である。
【図４】本考案の第２実施形態を示す直交６面体ブロックの正面図である。
【図５】本考案の使用例１を示す直交６面体ブロックの組立図である。
【図６】本考案の使用例１を示す直交６面体ブロックの完成図である。
【図７】本考案の使用例２を示す直交６面体ブロックの組立図である。
【図８】本考案の使用例２を示す直交６面体ブロックの完成図である。
【図９】本考案の使用例３を示す直交６面体ブロックの組立図である。
【図１０】本考案の使用例３を示す直交６面体ブロックの完成図である。
【図１１】本考案の使用例４を示す直交６面体ブロックの組立図である。
【図１２】本考案の使用例４を示す直交６面体ブロックの完成図である。
【図１３】本考案の使用例５を示す直交６面体ブロックの組立図である。
【図１４】本考案の使用例５を示す直交６面体ブロックの完成図である。
【考案を実施するための形態】
【００２０】
（第１実施形態）
本願考案に係る直交６面体ブロックを実施するための第１実施形態を、図１および図２を用いて説明する。図１は、本願考案に係る直交６面体ブロックの斜視図であり、図２は、本願考案に係る直交６面体ブロックの正面図である。
【００２１】
本願考案に係る直交６面体ブロック１０は、長方形状の第１主面１１と第１主面１１に背向し第１主面１１と同じ形状の図示しない第２主面と第１主面１１の長手方向に位置する長方形状の第１側面１２と第１側面１２に背向し第１側面１２と同じ形状の図示しない第２側面と第１主面１１の短手方向に位置する長方形状の図示しない第１端面と第１端面に背向し第１端面と同じ形状の第２端面１３とを有する直交６面体ブロックである。
【００２２】
さらに、直交６面体ブロック１０は、第１側面１２には凹状の切欠けである第１凹部１４が、第２側面には第２凹部１５および第３凹部１６が形成されている。第１凹部１４は、第１主面１１と第１側面１２によって形成される辺の中点に第１凹部１４の切欠け幅１４ａの中心が位置するように配置されている。第２凹部１５は、第１端面から第１主面１１の長手方向長１１ａの４分の１の距離１１ｃに第２凹部１５の切欠け幅１５ａの中心が位置するように配置され、第３凹部１６は、第２端面１３から第１主面１１の長手方向長１１ａの４分の１の距離１１ｄに第３凹部１６の切欠け幅１６ａの中心が位置するように配置されている。
【００２３】
したがって、直交６面体ブロック１０を第１凹部１４ないし第３凹部１６で嵌合させると第１主面１１の長手方向を軸として容易に非対称な立体構成を得ることができる。また、第１凹部１４ないし第３凹部１６は、上記所定の位置に配置されていることにより、均整のとれた立体構成を得ることができ、意匠性にも優れる。
【００２４】
なお、本願考案に係る直交６面体ブロックにおいて、凹状の切欠けである第１凹部ないし第３凹部の切欠け幅および切欠け深さは、直交６面体ブロック同士を嵌合させることができれば、その形状は特に限定されない。例えば、１つの凹部の切欠け幅を他の凹部の切欠け幅の整数倍とすれば、１つの凹部で複数の直交６面体ブロックを嵌合させることができ、多様な立体構成を得ることができる。
【００２５】
図１および図２においては、第１凹部１４ないし第３凹部１６は、略同一の切欠け幅１４ａないし１６ａおよび略同一の切欠け深さ１４ｂないし１６ｂを有している。そして、第１凹部１４ないし第３凹部１６の切欠け深さ１４ｂないし１６ｂは、第１主面１１の短手方向長１１ｂの２分の１としている。略同一の形状としたことにより凹部同士の嵌合が容易となる。そして、第１凹部１４ないし第３凹部１６の切欠け深さ１４ｂないし１６ｂを第１主面１１の短手方向長１１ｂの２分の１としたことにより、直交６面体ブロックを第１凹部ないし第３凹部で嵌合した場合に、嵌合する直交６面体ブロックの第１側面若しくは第２側面を揃えることができ、立体構成の拡張性および意匠性に優れる。
【００２６】
また、第１凹部１４ないし第３凹部１６の切欠け幅１４ａないし１６ａを直交６面体ブロック１０の板厚である第１主面１１と第２主面との間隔と略同一とすることにより、第１凹部１４ないし第３凹部１６同士だけでなく、第１側面１２、第２側面、第１端面、第２端面１３との間でも直交６面体ブロックを嵌合させることができる。
【００２７】
なお、直交６面体ブロックは、容易に凹状の切欠けを形成することができれば、材質、製法等を特に限定するものではない。すなわち、直交６面体ブロックは、プラスチック、ポリエチレンなどの合成樹脂を成型してもよく、木材などの天然素材を加工してもよい。
【００２８】
（第２実施形態）
本願考案に係る直交６面体ブロックを実施するための第２実施形態を、図３および図４を用いて説明する。図３は、本願考案に係る直交６面体ブロックの斜視図であり、図４は、本願考案に係る直交６面体ブロックの正面図である。
【００２９】
本願考案に係る直交６面体ブロック２０は、長方形状の第１主面２１と第１主面２１に背向し第１主面２１と同じ形状の図示しない第２主面と第１主面２１の長手方向に位置する長方形状の第１側面２２と第１側面２２に背向し第１側面２２と同じ形状の図示しない第２側面と第１主面２１の短手方向に位置する長方形状の図示しない第１端面と第１端面に背向し第１端面と同じ形状の第２端面２３とを有する直交６面体ブロックである。
【００３０】
そして、直交６面体ブロック２０は、第１側面２２には凹状の切欠けである第１凹部２４が、第２側面には第２凹部２５および第３凹部２６が形成されている。第１凹部２４は、第１主面２１と第１側面２２によって形成される辺の中点に第１凹部２４の切欠け幅２４ａの中心が位置するように配置されている。第２凹部２５は、第１端面から第１主面２１の長手方向長２１ａの４分の１の距離２１ｃに第２凹部２５の切欠け幅２５ａの中心が位置するように配置され、第３凹部２６は、第２端面２３から第１主面２１の長手方向長２１ａの４分の１の距離２１ｄに第３凹部２６の切欠け幅２６ａの中心が位置するように配置されている。
【００３１】
さらに、直交６面体ブロック２０は、第１端面には凹状の切欠けである第４凹部２７が、第２端面２３には第５凹部２８が形成され、第４凹部２７は、第１主面２１と第１端面によって形成される辺の中点に第４凹部２７の切欠け幅２７ａの中心が位置するように配置され、第５凹部２８は、第１主面２１と第２端面２３によって形成される辺の中点に第５凹部２８の切欠け幅２８ａの中心が位置するように配置されている。
【００３２】
すなわち、直交６面体ブロック２０は、直交６面体ブロック１０の第１端面および第２端面１３に、さらに凹状の切欠けである第４凹部および第５凹部を設けたものである。したがって、拡張性に優れ、より複雑な立体構成を得ることができる。
【００３３】
また、第１凹部２４ないし第５凹部２８は、略同一の切欠け幅２４ａないし２８ａおよび略同一の切欠け深さ２４ｂないし２８ｂを有し、第１凹部２４ないし第５凹部２８の切欠け深さ２４ｂないし２８ｂは、第１主面２１の短手方向長２１ｂの２分の１である。したがって、直交６面体ブロック２０を第１凹部２４ないし第５凹部２８で嵌合した場合に、嵌合する直交６面体ブロックの第１側面２２若しくは第２側面または第１端面若しくは第２端面２３を揃えることができる。つまり、立体構成の拡張性および意匠性に優れる。
【００３４】
そして、第１凹部２４ないし第５凹部２８の切欠け幅２４ａないし２８ａは、直交６面体ブロック２０の板厚である第１主面２１と第２主面との間隔と略同一である。したがって、第１凹部２４ないし第５凹部２８同士だけでなく、第１側面２２、第２側面、第１端面、第２端面２３との間でも直交６面体ブロック２０を嵌合させることができる。
【００３５】
また、第１凹部２４ないし第５凹部２８の切欠け幅２４ａないし２８ａは、第１主面２１の短手方向長２１ｂの３分の１である。したがって、第４凹部２７若しくは第５凹部２８と他の凹部とを嵌合させる場合に、第１主面２１の長手方向若しくは短手方向または第１主面２１と直交する方向のいずれの方向であっても直交６面体ブロックを嵌合させることができる。
【００３６】
なお、直交６面体ブロック２０は、凹状の切欠けを形成することができれば、材質、製法等を特に限定するものではない。すなわち、直交６面体ブロック２０は、プラスチック、ポリエチレンなどの合成樹脂を成型してもよく、木材などの天然素材を加工してもよい。
【００３７】
木材を使用した場合は、木目が形成する質感や木材の香りを楽しむことができる。木材の場合は、電動糸鋸盤等で切り抜いて製作することを考慮して、どの方向にも切りやすく木目が詰まった緻密な広葉樹が適している。例えば、カツラやブナ、セン、ナラなどが挙げられる。
【００３８】
また、建材として一般的に用いられているヒノキを使用することもできる。ヒノキは、堅牢さに加えて長尺広巾板が容易に得られることなどから、内外装はもとより、建物の構造材としても使用されている。さらに、ヒノキは、切断面の模様の美しさがあり、カウンターやテーブル等の各種家具にも広く使用されている。
【００３９】
なお、集成材を使用することもできる。集成材は、断面寸法の小さい板材を接着剤で貼り合わせて作られる木質材料であり、木材素材よりも強度のばらつきが小さいなどの利点がある。
【実施例】
【００４０】
本願考案に係る直交６面体ブロックの実施例および使用例を、図５ないし図１４を用いて説明する。第２実施形態の直交６面体ブロックは、第１実施形態の直交６面体ブロックの第１端面および第２端面に、さらに第４凹部および第５凹部を設けたものであるので、以下では、第２実施形態の直交６面体ブロックを基に説明する。
【００４１】
直交６面体ブロックは、板厚８．２ｍｍのヒノキ材を電動糸鋸盤で幅１２３ｍｍ、高さ２４．６ｍｍに加工し、さらに、第１凹部ないし第５凹部を形成した。第１凹部ないし第５凹部の切欠け幅は８．２ｍｍとし、板厚と同じである。この切欠け幅は、直交６面体ブロックの高さの３分の１でもある。また、第１凹部ないし第５凹部の切欠け深さは１２．３ｍｍとし、この切欠け深さは、直交６面体ブロックの高さの２分の１である。
【００４２】
以下、上記の直交６面体ブロックを使用した使用例を示す。なお、直交６面体ブロックの数は、構成する立体の規模、複雑さによって適宜増減させるものであるので、直交６面体ブロックの数は使用例の数に限られるものではない。
【００４３】
（使用例１）
本使用例では、図５および図６を用いて説明する。図５は、直交６面体ブロックの嵌合箇所を示した組立図であり、図６は、完成図である。
【００４４】
直交６面体ブロック２００１の第３凹部２５と直交６面体ブロック２００２の第１凹部２４を嵌合させ、次に、直交６面体ブロック２００２の第２凹部２５と直交６面体ブロック２００４の第２凹部２５、直交６面体ブロック２００２の第３凹部２６と直交６面体ブロック２００３の第２凹部２５を嵌合させる。図６は、直交６面体ブロック４個を使用して非対称な立体構成を得ることができることを示している。
【００４５】
つまり、直交６面体ブロック２００２の第１主面若しくは第２主面の長手方向を軸として、左右非対称な立体構成になっていることが分かる。この関係は、直交６面体ブロック２００２と他の直交６面体ブロックとの嵌合箇所を変えても同じである。これは、直交６面体ブロック２００２の凹状の切欠けの数が奇数であり、第１主面若しくは第２主面の長手方向に対して第２側面、第１側面、第２側面の順に交互に第１凹部ないし第３凹部が形成されていることによる。
【００４６】
さらに、直交６面体ブロックの第１凹部ないし第３凹部は、前記所定の位置に配置されているので、均整のとれた立体構成を得ることができ、意匠性に優れる。
【００４７】
（使用例２）
本使用例では、図７および図８を用いて説明する。図７は、直交６面体ブロックの嵌合箇所を示した組立図であり、図８は、完成図である。
【００４８】
直交６面体ブロック２００５の第４凹部２７と直交６面体ブロック２００６の第５凹部２８を嵌合させる。図８は、第１凹部ないし第３凹部以外の凹部で直交６面体ブロックを嵌合させることができることを示している。したがって、拡張性に優れ、より複雑な立体構成を得ることができる。
【００４９】
（使用例３）
本使用例では、図９および図１０を用いて説明する。図９は、直交６面体ブロックの嵌合箇所を示した組立図であり、図１０は、完成図である。
【００５０】
直交６面体ブロック２００７の第１凹部２４と直交６面体ブロック２００８の第１凹部２４を嵌合させる。図１０は、嵌合する直交６面体ブロック２００７の第１側面と直交６面体ブロック２００８の第２側面および直交６面体ブロック２００７の第２側面と直交６面体ブロック２００８の第１側面が揃っていることを示している。したがって、立体構成の拡張性および意匠性に優れる。
【００５１】
（使用例４）
本使用例では、図１１および図１２を用いて説明する。図１１は、直交６面体ブロックの嵌合箇所を示した組立図であり、図１２は、完成図である。
【００５２】
直交６面体ブロック２００９の第５凹部２８と直交６面体ブロック２０１０の第２側面を嵌合させる。図１２は、第１凹部ないし第５凹部同士でなくても直交６面体ブロックを嵌合させることができることを示している。これは、凹部の切欠け幅を直交６面体ブロックの板厚である第１主面と第２主面との間隔と略同一としたことによる。
【００５３】
（使用例５）
本使用例では、図１３および図１４を用いて説明する。図１３は、直交６面体ブロックの嵌合箇所を示した組立図であり、図１４は、完成図である。
【００５４】
直交６面体ブロック２０１１の第４凹部２７と直交６面体ブロック２０１２の第４凹部２７を嵌合させる。図１４は、直交６面体ブロック２０１１の第４凹部２７において、直交６面体ブロック２０１１の第１主面と直交する方向に直交６面体ブロックを嵌合させることができることを示している。直交６面体ブロック２０１１の第１主面の長手方向若しくは短手方向についても同様に嵌合させることができる。
【００５５】
これは、第１凹部ないし第５凹部の切欠け幅は、第１主面若しくは第２主面の短手方向長の３分の１とし、直交６面体ブロックの板厚である第１主面と第２主面との間隔と略同一としたことによる。つまり、第１端面若しくは第２端面の断面は正方形状となっており、第４凹部若しくは第５凹部と他の凹部と嵌合させる場合に、第１主面の長手方向若しくは短手方向または第１主面と直交する方向のいずれの方向であっても直交６面体ブロックを嵌合させることができる。
【符号の説明】
【００５６】
１０，２０，２００１ないし２０１２：直交６面体ブロック
１１，２１：第１主面
１２，２２：第１側面
１３，２３：第２端面
１４，２４：第１凹部
１５，２５：第２凹部
１６，２６：第３凹部
２７：第４凹部
２８：第５凹部
１１ａ，２１ａ：第１主面の長手方向長
１１ｂ，２１ｂ：第１主面の短手方向長
１１ｃ，１１ｄ，２１ｃ，２１ｄ：第１主面の長手方向長の４分の１
１４ａ，１５ａ，１６ａ，２４ａ，２５ａ，２６ａ，２７ａ，２８ａ：切欠け幅
１４ｂ，１５ｂ，１６ｂ，２４ｂ，２５ｂ，２６ｂ，２７ｂ，２８ｂ：切欠け深さ
【図１】
0003150616.tif 000003
【図２】
0003150616.tif 000004
【図３】
0003150616.tif 000005
【図４】
0003150616.tif 000006
【図５】
0003150616.tif 000007
【図６】
0003150616.tif 000008
【図７】
0003150616.tif 000009
【図８】
0003150616.tif 000010
【図９】
0003150616.tif 000011
【図１０】
0003150616.tif 000012
【図１１】
0003150616.tif 000013
【図１２】
0003150616.tif 000014
【図１３】
0003150616.tif 000015
【図１４】
0003150616.tif 000016
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
長方形状の第１主面と、該第１主面に背向し該第１主面と同じ形状の第２主面と、該第１主面若しくは該第２主面の長手方向に位置する長方形状の第１側面と、該第１側面に背向し該第１側面と同じ形状の第２側面と、該第１主面若しくは該第２主面の短手方向に位置する長方形状の第１端面と、該第１端面に背向し該第１端面と同じ形状の第２端面と、を有する直交６面体ブロックであって、
該第１側面には凹状の切欠けである第１凹部が、該第２側面には第２凹部および第３凹部が形成され、
該第１凹部は、該第１主面と該第１側面若しくは該第２主面と該第１側面とによって形成される辺の中点に該第１凹部の切欠け幅の中心が位置するように配置され、
該第２凹部は、該第１端面から該第１主面若しくは該第２主面の長手方向長の４分の１の距離に該第２凹部の切欠け幅の中心が位置するように配置され、
該第３凹部は、該第２端面から該第１主面若しくは該第２主面の長手方向長の４分の１の距離に該第３凹部の切欠け幅の中心が位置するように配置されていることを特徴とする直交６面体ブロック。
【請求項２】
前記第１端面には凹状の切欠けである第４凹部が、前記第２端面には第５凹部が形成され、
前記第４凹部は、前記第１主面と前記第１端面若しくは前記第２主面と前記第１端面とによって形成される辺の中点に前記第４凹部の切欠け幅の中心が位置するように配置され、
前記第５凹部は、前記第１主面と前記第２端面若しくは前記第２主面と前記第２端面とによって形成される辺の中点に前記第５凹部の切欠け幅の中心が位置するように配置されていることを特徴とする請求項１に記載の直交６面体ブロック。
【請求項３】
前記第１凹部ないし前記第５凹部は、略同一の切欠け幅および切欠け深さを有し、
前記第１凹部ないし前記第５凹部の該切欠け深さは、前記第１主面若しくは前記第２主面の短手方向長の２分の１であることを特徴とする請求項２に記載の直交６面体ブロック。
【請求項４】
前記第１凹部ないし前記第５凹部の前記切欠け幅は、前記第１主面と前記第２主面との間隔と略同一であることを特徴とする請求項３に記載の直交６面体ブロック。
【請求項５】
前記第１凹部ないし前記第５凹部の前記切欠け幅は、前記第１主面若しくは前記第２主面の前記短手方向長の３分の１であることを特徴とする請求項３または４に記載の直交６面体ブロック。
【請求項６】
前記直交６面体ブロックは、木材で形成されたことを特徴とする請求項１ないし５のいずれかに記載の直交６面体ブロック。